(57)【要約】【課題】製造コストを抑制するとともに流路の形成位置の自由度を向上させることができる燃料改質装置を提供する。【解決手段】被改質ガスを改質して燃料ガスを燃料電池に供給する燃料改質装置１０であって、バーナー１４を内部に収容する円筒形状の内筒１１と、内筒１１を内部に収容する円筒形状の外筒１２と、を備える。内筒１１の外周面と外筒１２の内周面とによって区画された円筒形状の空間が蒸発部２１となっており、蒸発部２１には、あらかじめ螺旋状の流路２４が形成された円筒形状の吸水性部材２２が配置さている。【選択図】図１
2015189648.tif 000002
【特許請求の範囲】
【請求項１】
被改質ガスを水蒸気改質して燃料ガスを生成し、該燃料ガスを燃料電池に供給するための燃料改質装置であって、
燃焼器を内部に収容する円筒形状の内筒と、
前記内筒を内部に収容する円筒形状の外筒と、を備え、
前記内筒の外周面と前記外筒の内周面とによって区画された円筒形状の空間が、供給された水を加熱して改質用の水蒸気にするための蒸発部となっており、
前記蒸発部には、あらかじめ螺旋状の流路が形成された円筒形状の吸水性部材が配置されていることを特徴とする燃料改質装置。
【請求項２】
前記流路は、前記吸水性部材の外周面に沿って形成された溝であることを特徴とする、請求項１に記載の燃料改質装置。
【請求項３】
前記流路は、前記吸水性部材の内周面に沿って形成された溝であることを特徴とする、請求項１に記載の燃料改質装置。
【請求項４】
前記吸水性部材では、前記溝の底部における吸水率が、他の部分における吸水率よりも低いことを特徴とする、請求項２又は３に記載の燃料改質装置。
【請求項５】
前記流路は、前記吸水性部材の内周面及び前記外周面のいずれにも露出しないように、前記吸水性部材の内部に形成されていることを特徴とする、請求項１に記載の燃料改質装置。
【請求項６】
前記流路は、
前記吸水性部材の外周面に沿って形成された第一流路と、
前記吸水性部材の内周面に沿って形成された第二流路と、を含み、
前記吸水性部材をその中心軸に沿って切断した場合の断面において、鉛直方向に沿って、前記第一流路と前記第二流路とが交互に並ぶように形成されていることを特徴とする、請求項１に記載の燃料改質装置。
【請求項７】
螺旋状に形成された前記流路の幅は、前記吸水性部材の上方側では狭く、前記吸水性部材の下方側では広いことを特徴とする、請求項１乃至６のいずれか１項に記載の燃料改質装置。
【請求項８】
螺旋状に形成された前記流路のピッチは、前記吸水性部材の上方側では狭く、前記吸水性部材の下方側では広いことを特徴とする、請求項１乃至７のいずれか１項に記載の燃料改質装置。
【請求項９】
前記吸水性部材の吸水率は、前記吸水性部材の上方側では低く、前記吸水性部材の下方側では高いことを特徴とする、請求項１乃至８のいずれか１項に記載の燃料改質装置。
【発明の詳細な説明】
【技術分野】
【０００１】
本発明は、被改質ガスを水蒸気改質して燃料ガスを生成し、該燃料ガスを燃料電池に供給するための燃料改質装置に関する。
【背景技術】
【０００２】
特許文献１には、原燃料である被改質ガスを水蒸気改質して燃料ガスを生成する燃料改質装置が開示されている。この燃料改質装置は、燃焼器を内部に収容する内筒と、この内筒を内部に収容する外筒と、を備えている。内筒と外筒との間（円筒形状の空間）には、水を加熱して改質用の水蒸気を生成する蒸発部が形成されている。また、蒸発部には吸水性部材が配置されている。
【０００３】
吸水性部材は、特許文献１の例えば図５に示されるように、内筒の外周面に巻き付けられた金属フェルトと、この金属フェルトに対して外側から螺旋状に巻き付けられた金属製のワイヤーと、から構成されている。ワイヤーが螺旋状に巻き付けられて金属フェルトが内筒の外周面に押し付けられることによって、金属フェルトにはワイヤーに沿った螺旋状のくびれが形成されており、このくびれが、被改質ガスと水との混合ガスが通る流路となっている。
【０００４】
外部から供給された水は、このように形成された螺旋状の流路に沿ってその大部分が流れる。その間に、当該水は、燃焼器からの熱によって加熱されて水蒸気となり、更に流路に沿って流れた後に、蒸発部から触媒部に向けて排出される。
【先行技術文献】
【特許文献】
【０００５】
【特許文献１】特許第４８７０４９１号公報
【発明の概要】
【発明が解決しようとする課題】
【０００６】
特許文献１に記載の燃料改質装置を製作するに当たっては、内筒の外周面に金属フェルトを巻き付けた後、当該金属フェルトに対してワイヤーを巻き付ける必要がある。このため、複数の部品と複数の組立工程とが必要であり、製造コストが増加する。また、ワイヤーは金属フェルトの外側から巻き付けられるので、金属フェルトの外周面に沿ってしか流路を形成することができない。つまり、特許文献１に記載の燃料改質装置は、流路の形成位置の自由度が低い。
【０００７】
本発明は、上記課題に鑑みてなされたものであって、製造コストを抑制するとともに流路の形成位置の自由度を向上させることができる燃料改質装置を提供することを目的とする。
【課題を解決するための手段】
【０００８】
上記目的を達成するため、本発明に係る燃料改質装置は、被改質ガスを水蒸気改質して燃料ガスを生成し、該燃料ガスを燃料電池に供給するための燃料改質装置であって、燃焼器を内部に収容する円筒形状の内筒と、内筒を内部に収容する円筒形状の外筒と、を備え、内筒の外周面と外筒の内周面とによって区画された円筒形状の空間が、供給された水を加熱して改質用の水蒸気にするための蒸発部となっており、蒸発部には、あらかじめ螺旋状の流路が形成された円筒形状の吸水性部材が配置されている。
【０００９】
このような燃料改質装置では、内筒と外筒との間に区画された円筒形状の空間に形成された蒸発部に、あらかじめ螺旋状の流路が形成された円筒形状の吸水性部材が配置されている。このような構成であるから、例えば螺旋状に形成された配管を取り付ける必要はなく、螺旋状の空間を維持するための部材（ワイヤー等）も不要となる。従って、製造コストを抑制することができる。しかも、螺旋状の流路は、吸水性部材を内筒に巻きつけた後に形成されたものではなく、あらかじめ吸水性部材に形成されているものであるから、流路の位置は吸水性部材の外周面に限定されることはなく、任意の位置に流路を形成することが可能である。すなわち、本発明によれば、流路の形成位置の自由度を向上させることができる。
【００１０】
また、本発明に係る燃料改質装置においては、流路は、吸水性部材の外周面に沿って形成された溝であってよく、また、吸水性部材の内周面に沿って形成された溝であってもよい。さらに、流路は、吸水性部材の内周面及び外周面のいずれにも露出しないように、吸水性部材の内部に形成されてもよい。
【００１１】
特に、吸水性部材の外周面に沿って形成された溝を流路とした場合には、燃焼器からの熱が内筒の外周面から直接水に伝達されるので、水を極めて効率的に蒸発させることができる。尚、流路を吸水性部材のどの位置に形成するかは、燃焼器における発熱量や、供給される水の流量などに応じて適宜選択すればよい。
【００１２】
また、本発明に係る燃料改質装置によれば、吸水性部材の内周面又は外周面に沿って形成された溝の底部における吸水率が、他の部分における吸水率よりも低い。こうした構成によれば、溝の底部の吸水率が他の部分の吸水率よりも低いので、水が溝の壁面を通過して（吸水性部材の内部を通って）鉛直方向に流れる現象、所謂ショートパスの発生を抑制することができる。その結果、水の大部分は螺旋状の空間に沿って流れることとなるため、効率的に水を蒸発させることができる。
【００１３】
また、本発明に係る燃料改質装置では、流路は、吸水性部材の外周面に沿って形成された第一流路と、吸水性部材の内周面に沿って形成された第二流路と、を含み、吸水性部材をその中心軸に沿って切断した場合の断面において、鉛直方向に沿って、第一流路と第二流路とが交互に並ぶように形成されていることも好ましい。
【００１４】
このような態様の燃料改質装置においては、それぞれの流路（第一流路、第二流路）の螺旋のピッチが長くなるため、たとえ水のショートパスが発生したとしても、水は吸水性部材の内部（流路同士の間の部分）を通過する間に十分に加熱されて水蒸気となる。つまり、水が液体のままショートパスしてしまう可能性を低くすることができる。
【００１５】
また、本発明に係る燃料改質装置では、螺旋状に形成された流路の幅（流路方向に対して垂直な方向に沿った寸法）は、吸水性部材の上方側では狭く、吸水性部材の下方側では広いことも好ましい。このような態様の燃料改質装置においては、吸水性部材のうち上方側部分、すなわち液体の水が供給されて流れる部分において水を確実に蒸発させることができる。また、吸水性部材のうち下方側部分、すなわちほとんどの水が水蒸発となっている部分においては、その流路抵抗が小さくなるため、蒸発部から水蒸気をスムーズに排出することができる。
【００１６】
また、本発明に係る燃料改質装置では、螺旋状に形成された流路のピッチは、吸水性部材の上方側では狭く、吸水性部材の下方側では広いことも好ましい。このような態様の燃料改質装置においては、吸水性部材のうち上方側部分、すなわち液体の水が供給されて流れる部分における流路長が長くなるため、水を確実に蒸発させることができる。また、吸水性部材のうち下方側部分、すなわちほとんどの水が水蒸発となっている部分における流路長は短くなるため、蒸発部から水蒸気をスムーズに排出することができる。
【００１７】
また、本発明に係る燃料改質装置では、吸水性部材の吸水率は、吸水性部材の上方側では低く、吸水性部材の下方側では高いことも好ましい。このような態様の燃料改質装置においては、吸水性部材のうち上方側部分、すなわち液体の水が供給されて流れる部分における吸水率が低いので、ショートパスの発生を抑制することができる。その結果、水の大部分は螺旋状の空間に沿って流れることとなるため、効率的に水を蒸発させることができる。また、吸水性部材のうち下方側部分、すなわちほとんどの水が水蒸発となっている部分における吸水率は高い（通気性も高い）ので、水蒸気は螺旋状の空間のみならず、吸水性部材の内部をも通ってスムーズに蒸発部から排出される。
【発明の効果】
【００１８】
以上のように、本発明によれば、製造コストを抑制するとともに流路の形成位置の自由度を向上させることができる燃料改質装置を提供することができる。
【図面の簡単な説明】
【００１９】
【図１】本発明の第一実施形態に係る燃料改質装置の構造を概略的に示す垂直断面図である。
【図２】本発明の第二実施形態に係る燃料改質装置の一部の構造を概略的に示す垂直断面図である。
【図３】本発明の第三実施形態に係る燃料改質装置の一部の構造を概略的に示す垂直断面図である。
【図４】本発明の第四実施形態に係る燃料改質装置の一部の構造を概略的に示す垂直断面図である。
【図５】本発明の第五実施形態に係る燃料改質装置の一部の構造を概略的に示す垂直断面図である。
【図６】本発明の第七実施形態に係る燃料改質装置の一部の構造を概略的に示す垂直断面図である。
【発明を実施するための形態】
【００２０】
以下、添付図面を参照しながら本発明の一実施形態について説明する。図１は、本発明の第一実施形態に係る燃料改質装置１０の構造を概略的に示す垂直断面図である。図１では、燃料改質装置１０を、後述の吸水性部材２２の中心軸に沿って垂直に切断した断面を示している。この燃料改質装置１０は、水蒸気改質反応を用いて原燃料ガス（例えば都市ガスやＬＰＧ等の炭化水素系燃料）を改質して水素を主成分とした燃料ガスを生成し、生成した燃料ガスを燃料電池（図示せず）に供給するものである。
【００２１】
燃料改質装置１０は、円筒形状の内筒１１と、内筒１１を内部に収容する円筒形状の外筒１２と、外筒１２を内部に収容する筐体１３と、を備えている。また、内筒１１の内部には円筒形上の燃焼筒１６が配置されており、更にその内部にはバーナー１４（燃焼器）が収容されている。内筒１１、外筒１２、筐体１３、燃焼筒１６、及びバーナー１４は、いずれもステンレス鋼により形成されている。
【００２２】
バーナー１４は燃焼筒１６の内部において、その中心軸が鉛直方向に沿うように配置されている。バーナー１４の内部には、その上下方向に沿って不図示のガス流路が形成されており、バーナー１４の上端には、当該ガス流路の入り口として供給口１５が開口形成されている。
【００２３】
供給口１５には、燃焼用の空気とガス（本実施形態では、原燃料ガスと同一のガスである）との混合気体が供給される。混合気体は、バーナー１４内のガス流路を下方に向かって流れて、バーナー１４の下端から噴射されて燃焼する。燃焼筒１６の内部のうちバーナー１４の下端よりも下方側の空間は、燃焼空間１１６となっている。混合気体が燃焼することにより、燃焼空間１１６では高温の燃焼排ガスが発生する。
【００２４】
内筒１１の下端は底部１１１によって閉じられている。また、燃焼筒１６の下端は開放されており、当該下端と底部１１１との間が離間している。このため、燃焼空間１１６で発生した燃焼排ガスは、燃焼筒１６の下端から、内筒１１と燃焼筒１６との間の空間（以下、「排ガス流路１７」と表記する）に流入して、排ガス流路１７内を上方に向かって流れる。
【００２５】
内筒１１の上端部近傍には、排ガス流路１７の出口である排出口１８が形成されている。高温の燃焼排ガスは、内筒１１を内側から加熱しながら排ガス流路１７内を上方に向かって流れた後、排出口１８から排出される。後に説明するように、高温の燃焼排ガスは、改質部２５において水蒸気改質反応を生じさせるための熱源となるものである。
【００２６】
外筒１２は、上方側の部分である上部筒１２ａと、下方側の部分である下部筒１２ｂとにより構成されている。上部筒１２ａ及び下部筒１２ｂは、いずれも円筒形状であって、それぞれの中心軸を共有した状態で上下に並んでいる。下部筒１２ｂの直径は、上部筒１２ａの直径よりも大きい。
【００２７】
筐体１３の下端は底部１３１によって閉じられており、底部１３１と底部１１１とは離間している。また、外筒１２（下部筒１２ｂ）の下端は開放されており、当該下端と底部１３１との間が離間している。内筒１１と外筒１２との間に形成された円筒形上の空間は、水蒸気改質によって燃料ガスを生成するための空間となっている。当該空間で生成された燃料ガスは、外筒１２（下部筒１２ｂ）の下端から、外筒１２と燃焼筒１６との間の空間に流入して、当該空間内を上方に向かって流れる。
【００２８】
外筒１２（上部筒１２ａ）の上端部近傍には、水の入り口である水供給口１９と、原燃料ガスの入り口である原燃料供給口２０が形成されている。水供給口１９から供給された水（液体）は、内筒１１と上部筒１２ａとの間の空間において燃焼排ガスの熱によって加熱され、水蒸気となる。このため、当該空間を以下では「蒸発部２１」とも表記する。蒸発部２１の内部の構成については、後に詳しく説明する。
【００２９】
内筒１１と下部筒１２ｂとの間にも空間が形成されており、当該空間には改質触媒が配置されている。尚、改質触媒としては、例えばルテニウム系やニッケル系の水蒸気改質触媒が用いられる。
【００３０】
蒸発部２１で生成された水蒸気と、原燃料供給口２０から供給されて蒸発部２１を通過した原燃料ガスは、混合された状態となってこの改質触媒に到達する。改質触媒の働きにより、蒸発部２１からの水蒸気と原燃料ガスとの間で水蒸気改質反応が生じ、水素を主成分とする水素含有ガス、すなわち燃料ガスが生成される。このため、内筒１１と下部筒１２ｂとの間の空間（改質触媒が配置されている空間）を、以下では「改質部２５」とも表記する。
【００３１】
尚、水蒸気改質反応は所謂吸熱反応であるため、安定して反応を生じさせるためには周囲から熱を加え続けることが必要となる。本実施形態においては、燃焼空間１１６で生じた後に排ガス流路１７内を上方に向かって流れる高温の燃焼排ガスを、水蒸気改質反応を生じさせるための熱源として利用している。つまり、排ガス流路１７を流れる燃焼排ガスが、改質部２５に配置された改質触媒を（内筒１１を介して）加熱することにより、吸熱反応である水蒸気改質反応が安定して生じる構成となっている。
【００３２】
筐体１３の上端部近傍には、燃料ガスの出口である燃料ガス排出口２９が形成されている。改質部２５で生成された燃料ガスは、筐体１３と外筒１２との間の空間を上方に向かって流れた後、燃料ガス排出口２９から排出され、燃料電池の燃料として利用される。
【００３３】
尚、改質部２５で生成された燃料ガスは、水素の他に一酸化炭素を含有している。このため、筐体１３と外筒１２との間の空間には、一酸化炭素の濃度を低下させることを目的として、変成部２６及び選択酸化（ＰＲＯＸ：Preferential Oxidation）部２７が配置されている。変成部２６は選択酸化部２７よりも上流側（下方側）に配置されている。
【００３４】
変成部２６にはシフト触媒が配置されている。シフト触媒は、ＣＯ変成反応によって改質ガス中の一酸化炭素の濃度を０．５％程度以下まで低下させるものである。
【００３５】
選択酸化部２７には選択酸化触媒が配置されている。選択酸化触媒は、選択酸化反応によって改質ガス中の一酸化炭素の濃度をさらに１０ｐｐｍ以下程度まで低下させるものである。筐体１３のうち、変成部２６と選択酸化部２７との間となる位置には、選択酸化用の空気を内部に導入して選択酸化部２７に供給するための空気供給口２８が形成されている。
【００３６】
以上のような変成部２６及び選択酸化部２７を順に通過させることにより、一酸化炭素の濃度が低下した燃料ガスが燃料ガス排出口２９から排出される。
【００３７】
続いて、蒸発部２１の内部の構成について具体的に説明する。既に述べたように、蒸発部は内筒１１と上部筒１２ａとの間に形成されており、水蒸気改質に必要な水蒸気を発生させて改質部２５に排出（供給）するものである。
【００３８】
蒸発部２１には、円筒形状の吸水性部材２２が配置されている。吸水性部材２２はメッシュ状の金属製フェルトを円筒形状に成形したものであり、吸水性及び通気性を有している。
【００３９】
吸水性部材２２は、その内側面全体が内筒１１の外側面に当接しており、その外側面全体が外筒１２の内側面に当接している。また、吸水性部材２２の外側面には、螺旋状の溝が形成されており、当該溝と外筒１２の内側面とによって区画された空間が、水供給口１９から供給された水の流路２４となっている。吸水性部材２２よりも上方側の空間（水供給口１９からの水が最初に流入する空間）と、吸水性部材２２よりも下方側の空間（改質部２５）とは、流路２４によって連通している。
【００４０】
水供給口１９から供給された水は、主にこの流路２４を通って下方側に向かって流れる。その間、内筒１１の内側を流れる燃焼排ガスの熱によって加熱されて水蒸気となる。当該水蒸気、及び原燃料供給口２０から供給された原燃料ガスは、いずれもその大部分が流路２４を通って改質部２５に到達するのであるが、一部は、（通気性を有する）吸水性部材２２の内部を通過して改質部２５に到達する。
【００４１】
また、水供給口１９から供給された水の一部は、吸水性部材２２の内部に浸透した状態で加熱されて水蒸気となり、吸水性部材２２の内部または流路２４を通過して改質部２５に到達する。
【００４２】
尚、吸水性部材２２に流路２４を形成するための方法としては、様々な方法が考えられる。例えば、内筒１１の外周面に吸水性部材２２を取り付けた後において、吸水性部材２２に外側からワイヤーを螺旋状に巻きつけることによっても形成することは可能である。しかしながら、このような方法では、螺旋状にワイヤーを巻きつけるという煩雑な工程が必要となる上に、ワイヤーという別部品も必要となってしまうため、製造コストの観点からは好ましいものではない。更に、吸水性部材２２の外周面に沿ってしか溝を形成することができないため、流路２４の形成位置の自由度は低い。
【００４３】
これに対し、本実施形態における吸水性部材２２は、その外側面にあらかじめ溝（流路２４）が形成された後に、内筒１１の外周面に取り付けられたものである。具体的には、吸水性部材２２の外周面を螺旋状に加圧していくことで当該部分を変形させ、螺旋状の溝をあらかじめ形成した後に、これを内筒１１の外周面に取り付けたものである。
【００４４】
このような流路２４は、上記のように簡便な方法によって形成することができる上、その形状を維持するためのワイヤー等が不要である。更に、吸水性部材２２の外周面以外の部分（例えば内周面）にも形成することができる。従って、製造コストを抑制するとともに流路２４の形成位置の自由度が向上している。
【００４５】
尚、本実施形態においては、流路２４の断面形状は矩形であるが、本発明の実施形態としてはこのような態様に限られない。矩形の他、例えば半円や半楕円、三角形、台形などのその他の形状であってもよい。
【００４６】
本発明のその他の実施形態について、図２乃至６を参照しながら説明する。尚、図２以降に示した燃料改質装置は、これまでに説明した第一実施形態に係る燃料改質装置１０とほぼ同様な構成となっており、吸水性部材２２の形状等についてのみ異なる構成となっている。従って、以下の説明においては、第一実施形態に係る燃料改質装置１０と共通する部分については図示及び詳細な説明を省略する。また、第一実施形態と同一の構成要素には、全て同一の参照符号を付すこととする。
【００４７】
図２は、本発明の第二実施形態に係る燃料改質装置１０の一部の構造を概略的に示す垂直断面図である。本実施形態に係る燃料改質装置１０では、流路２４が、吸水性部材２２の外周面ではなく、内周面に沿って形成された溝となっている。既に説明したように、このような位置における溝の形成は、吸水性部材２２が内筒１１の外周面に取り付けられる前に溝加工を行うこととしたために、可能となったものである。
【００４８】
このように、吸水性部材２２の外周面に沿って形成された溝を流路２４とした場合には、バーナー１４からの熱（すなわち、排ガス流路１７を通る燃焼排ガスからの熱）が内筒１１の外周面から直接水に伝達されるので、水を極めて効率的に蒸発させることができる。
【００４９】
図３は、本発明の第三実施形態に係る燃料改質装置１０の一部の構造を概略的に示す垂直断面図である。この燃料改質装置１０では、流路２４が、吸水性部材２２の内周面及び外周面のいずれにも露出しないように、吸水性部材２２の内部に形成されている。既に説明したように、このような位置における溝の形成は、吸水性部材２２が内筒１１の外周面に取り付けられる前に溝加工を行うこととしたために、可能となったものである。
【００５０】
このように、吸水性部材２２の内部に流路２４を形成した場合には、流路２４を流れる水が直接内筒１１や外筒１２に触れることが無い。例えば、内筒１１及び外筒１２の温度が非常に高温となり、突沸の恐れがあるような構成の燃料改質装置においては、このような位置に流路２４を形成した方が望ましい場合もある。このように、流路２４を吸水性部材２２のどの位置に形成するかは、バーナー１４における発熱量や、供給される水の流量などに応じて適宜選択すればよい。
【００５１】
図４は、本発明の第四実施形態に係る燃料改質装置１０の一部の構造を概略的に示す垂直断面図である。この燃料改質装置１０では、流路２４が単一の流路ではなく、吸水性部材２２の外周面に沿って形成された第一流路２４ａと、吸水性部材２２の内周面に沿って形成された第二流路２４ｂと、の二つの流路からなっている。第一流路２４ａ及び第二流路２４ｂは、いずれも螺旋状の流路であって、これらが互いに略平行に（つまり、２条ねじのねじ山のように）配置されている。このような第一流路２４ａ及び第二流路２４ｂの配置は、中心軸に沿って吸水性部材２２を切断した場合の断面において、第一流路２４ａと第二流路２４ｂとが鉛直方向に沿って交互に並ぶような配置ということもできる。
【００５２】
このような構成においては、第一流路２４ａ、第二流路２４ｂのそれぞれの螺旋のピッチが長くなるため、水が第一流路２４ａ等の壁面を通過して鉛直方向に流れる現象（所謂ショートパス）が発生したとしても、水は吸水性部材２２の内部を通過する間に十分に加熱されて水蒸気となる。
【００５３】
つまり、第二流路２４ｂの下方には第一流路２４ａが存在するのであるが、真下に存在しているのではなく、吸水性部材２２の径方向（図４では左右方向）に沿ってずれた位置に存在している。このため、吸水性部材２２の内部を第二流路２４ｂの下方に向けて水が浸透した場合であっても、当該水は下方の第一流路２４ａに流入するのではなく、その更に下方（つまり遠方）にある第二流路２４ｂに向かって更に浸透していくこととなる。その結果、水は第二流路２４ｂに再び流入する前に十分に加熱されて、高い確率で水蒸気となってしまうのである。このように、流路２４をこのように形成すれば、水が液体のままショートパスしてしまう可能性を低くすることができる。
【００５４】
図５は、本発明の第五実施形態に係る燃料改質装置１０の一部の構造を概略的に示す垂直断面図である。この燃料改質装置１０では、吸水性部材２２には第一実施形態で説明したものと同様の流路２４が形成されている。すなわち、吸水性部材２２の外周面に溝を形成することにより、流路２４が形成されている。
【００５５】
ただし、本実施形態においては、流路２４を形成するにあたって、吸水性部材２２の外周面から内周面に向かって圧力をかけて、金属フェルトを押し潰すことによって溝（流路２４）を形成している。その結果、金属フェルトである吸水性部材２２は、流路２４の底（内周側）となっている部分（以下、溝底部２２ａという）の密度が、それ以外の部分（以下、溝間部２２ｂという）の密度よりも高くなっている。また、これにより、溝底部２２ａの吸水率が溝間部２２ｂの吸水率よりも低くなっている。
【００５６】
本実施形態の吸水性部材２２では、溝底部２２ａにおける吸水率が溝間部２２ｂにおける吸水率よりも低いので、水が、内筒１１の外側面に沿って溝底部２２ａを鉛直方向に通過するような現象、すなわちショートパスが更に生じにくくなっている。その結果、水の大部分は螺旋状の流路２４内を流れることとなるため、効率的に水を蒸発させることができる。
【００５７】
図６は、本発明の第六実施形態に係る燃料改質装置１０の一部の構造を概略的に示す垂直断面図である。この燃料改質装置１０では、螺旋状に形成された流路２４の溝幅（流路２４の流路方向に対して垂直な方向に沿った寸法、すなわち、略鉛直方向に沿った寸法）が、吸水性部材２２の上方側では狭くなっており、下方側に行くほど次第に広くなるように形成されている。このため、上方側においては水との接触面積を確保し、効率的に水蒸気を発生させる一方で、下流側においては、発生した水蒸気をスムーズに排出することができる。
【００５８】
このような態様に替えて、又はこのような態様と共に、螺旋状に形成された流路２４のピッチ（鉛直方向に沿って隣り合う流路２４同士の間隔を、吸水性部材２２の上方側では狭くして、下方側に行くほど次第に広くなるように形成してもよい。このような態様においては、吸水性部材２２のうち上方側部分、すなわち液体の水が供給されて流れる部分における流路長が長くなるため、水を確実に蒸発させることができる。また、吸水性部材２２のうち下方側部分、すなわちほとんどの水が水蒸発となっている部分における流路長は短くなるため、蒸発部２１から水蒸気をスムーズに排出することができる。
【００５９】
第七実施形態に係る燃料改質装置１０について説明する。尚、本実施形態に係る燃料改質装置１０の形状は、図１に示した第一実施形態に係る燃料改質装置１０の形状と同一である。
【００６０】
この燃料改質装置１０では、金属フェルトである吸水性部材２２の密度が、吸水性部材２２の上方側で高くなっている一方で、吸水性部材２２の下方側においては低くなっている。吸水性部材２２のうち上方側部分、すなわち液体の水が供給されて流れる部分における吸水率が低いので、ショートパスの発生を抑制することができる。その結果、水の大部分は螺旋状の流路２４内を流れることとなるため、効率的に水を蒸発させることができる。また、吸水性部材２２のうち下方側部分、すなわちほとんどの水が水蒸発となっている部分における吸水率は高い（通気性も高い）ので、水蒸気は螺旋状の空間のみならず、吸水性部材２２の内部をも通ってスムーズに蒸発部２１から排出される。
【００６１】
尚、以上の各実施形態について説明したそれぞれの特徴は、適宜組み合わせてもよい。例えば、第五〜第七実施形態に係る燃料改質装置１０において、流路２４は、吸水性部材２２の内周面又は外周面のいずれに形成されてもよく、又は、内周面及び外周面のいずれにも露出しないように吸水性部材２２の内部に形成されてもよい。
【００６２】
以上、具体例を参照しつつ本発明の実施形態について説明したものの、本発明はこれらの具体例に限定されない。本発明の特徴を備えている限り、これらの具体例に当業者が設計変更を加えたものも本発明の範囲に包含される。例えば、前述した各具体例が備える各構成要素やその配置、材料、条件、形状、サイズなどは、例示したものに限定されず、適宜変更されてもよい。また、各構成要素は、技術的に可能な限り組み合わせることができ、これらを組み合わせたものも本発明の特徴を含む限り本発明の範囲に包含される。
【符号の説明】
【００６３】
１０：燃料改質装置
１１：内筒
１２：外筒
１２ａ：上部筒
１２ｂ：下部筒
１３：筐体
１４：バーナー
１５：供給口
１６：燃焼筒
１７：排ガス流路
１８：排出口
１９：水供給口
２０：原燃料供給口
２１：蒸発部
２２：吸水性部材
２２ａ：溝底部
２２ｂ：溝間部
２４：流路
２４ａ：第一流路
２４ｂ：第二流路
２５：改質部
２６：変成部
２７：選択酸化部
２８：空気供給口
２９：燃料ガス排出口
１１１：底部
１１６：燃焼空間
１３１：底部
【図１】
2015189648.tif 000003
【図２】
2015189648.tif 000004
【図３】
2015189648.tif 000005
【図４】
2015189648.tif 000006
【図５】
2015189648.tif 000007
【図６】
2015189648.tif 000008